(57)【特許請求の範囲】
【請求項１】
ノートＰＣ及びタブレットＰＣとして使用可能であり、タブレットＰＣ構成でキーボードを含む入力ユニットが配置された面が露出する携帯型情報処理装置であって、
ノートＰＣモードとタブレットＰＣモードとで、前記入力ユニットに異なる機能を割り当て、前記入力ユニットからの入力に対して異なる信号処理を行う入力ユニット制御手段を備え、
前記入力ユニット制御手段は、前記タブレットＰＣモードでは、前記キーボードに近接センサとして機能を割り当て、前記キーボードからの入力に対して近接センサ用の信号処理を行うことを特徴とする携帯型情報処理装置。 
【請求項２】
ノートＰＣ及びタブレットＰＣとして使用可能であり、タブレットＰＣ構成でキーボードを含む入力ユニットが配置された面が露出する携帯型情報処理装置であって、
ノートＰＣモードとタブレットＰＣモードとで、前記入力ユニットに異なる機能を割り当て、前記入力ユニットからの入力に対して異なる信号処理を行う入力ユニット制御手段を備え、
前記入力ユニットはタッチパッドを備え、
前記入力ユニット制御手段は、前記タブレットＰＣモードでは、前記タッチパッドに近接センサとしての機能を割り当て、前記タッチパッドからの入力に対して近接センサ用の信号処理を行うことを特徴とする携帯型情報処理装置。 
【請求項３】
前記入力ユニット制御手段は、前記タブレットＰＣモードでは、ユーザの選択に応じて、前記タッチパッドに近接センサとしての機能を割り当て、前記タッチパッドからの入力に対して近接センサ用の信号処理と、前記キーボードの一部のキートップに画面操作用の機能を割り当て、前記一部のキートップからの入力に対して画面操作用の信号処理とを切り切り替え可能に構成されていることを特徴とする請求項１に記載の携帯型情報処理装置。
【請求項４】
前記一部のキートップは、前記キーボードの左右両端に位置するキートップであり、
前記入力ユニット制御手段は、前記キーボードの一部のキートップに画面操作用の機能を割り当てる場合は、前記一部のキートップに、ページスクロール、ページめくり、並びにページアップ及びダウンの少なくとも１つの機能を割り当てることを特徴とする請求項３に記載の携帯型情報処理装置。 
【請求項５】
ノートＰＣ及びタブレットＰＣとして使用可能であり、タブレットＰＣ構成でキーボードを含む入力ユニットが配置された面が露出する携帯型情報処理装置であって、
ノートＰＣモードとタブレットＰＣモードとで、前記入力ユニットに異なる機能を割り当て、前記入力ユニットからの入力に対して異なる信号処理を行う入力ユニット制御手段を備え、
前記入力ユニットはタッチパッドを備え、
前記入力ユニット制御手段は、前記タブレットＰＣモードでは、前記タッチパッドに画面操作用の機能を割り当て、前記タッチパッドからの入力に対して画面操作用の信号処理を行うことを特徴とする携帯型情報処理装置。
【請求項６】
前記入力ユニット制御手段は、前記タブレットＰＣモードでは、前記タッチパッドにページアップ及びダウン並びにページスクロールの少なくとも１つの機能を割り当てることを特徴とする請求項５に記載の携帯型情報処理装置。
【請求項７】
ノートＰＣ及びタブレットＰＣとして使用可能であり、タブレットＰＣ構成でキーボードを含む入力ユニットが配置された面が露出する携帯型情報処理装置の入力方法であって、
ノートＰＣモードとタブレットＰＣモードとで、前記入力ユニットに異なる機能を割り当て、前記入力ユニットからの入力に対して異なる信号処理を行う工程を含み、
前記工程は、前記タブレットＰＣモードでは、前記キーボードに近接センサとして機能を割り当て、前記キーボードからの入力に対して近接センサ用の信号処理を行うことを特徴とする携帯型情報処理装置の入力方法。
【請求項８】
ノートＰＣ及びタブレットＰＣとして使用可能であり、タブレットＰＣ構成でキーボードを含む入力ユニットが配置された面が露出する携帯型情報処理装置に搭載されるプログラムであって、
ノートＰＣモードとタブレットＰＣモードとで、前記入力ユニットに異なる機能を割り当て、前記入力ユニットからの入力に対して異なる信号処理を行う工程をコンピュータに実行させ、
前記工程は、前記タブレットＰＣモードでは、前記キーボードに近接センサとして機能を割り当て、前記キーボードからの入力に対して近接センサ用の信号処理を行うことを特徴とするコンピュータが実行可能なプログラム。
【発明の詳細な説明】
【技術分野】
【０００１】
本発明は、携帯型情報処理装置、その入力方法、及びコンピュータが実行可能なプログラムに関する。
【背景技術】
【０００２】
近時、ノートＰＣ及びタブレットＰＣとして使用可能なコンバーチブル型ＰＣと呼ばれる携帯型情報処理装置がある。コンバーチブル型ＰＣでは、ノートＰＣ構成の状態で、タッチスクリーンが配置されるディスプレイ側筐体を、キーボードやタッチパッドが配置される本体側筐体に対して、ヒンジにより垂直軸に１８０度回転させた後、折り畳むことでタブレット構成とするタイプのものがある。かかるタイプのコンバーチブル型ＰＣでは、タブレット構成の場合に、本体側筐体のキーボード等が配置された面は、ディスプレイ側筐体のタッチスクリーンが配置されていない面と対向するため、背面（下面）に露出することはない。
【０００３】
他方、コンバーチブル型ＰＣでは、ノートＰＣ構成の状態で、タッチスクリーンが配置されるディスプレイ側筐体を、キーボードやタッチパッドが配置される本体側筐体に対して、ヒンジにより水平軸に３６０度回転させてタブレット構成とするタイプのものもある。かかるタイプのコンバーチブル型ＰＣでは、タブレット構成の場合は、本体側筐体のキーボードやタッチパッドが配置された面が背面となるため、キーボードやタッチパッドが露出することになる。かかるタブレット構成では、キーボードとタッチパッドの誤操作を防止するために、キーボードとタッチパッドの機能を完全に無効にするものもある。
【０００４】
しかしながら、折角搭載しているキーボードやタッチパッドをタブレット構成で使用できないのは、キーボードやタッチパッド等の入力デバイスを十分に利用していないということである。
【先行技術文献】
【特許文献】
【０００５】
【特許文献１】特開２０１３−１５５８７４号公報
【発明の概要】
【発明が解決しようとする課題】
【０００６】
本発明は上記に鑑みてなされたものであり、ノートＰＣ及びタブレットＰＣとして使用可能であり、タブレット構成でキーボードを含む入力ユニットが配置される面が露出するタイプの携帯型情報処理装置において、タブレット構成でも入力ユニットを有効に利用することが可能な携帯型情報処理装置、その入力方法、及びコンピュータが実行可能なプログラムを提供することを目的とする。
【課題を解決するための手段】
【０００７】
上述した課題を解決し、目的を達成するために、本発明は、ノートＰＣ及びタブレットＰＣとして使用可能であり、タブレットＰＣ構成でキーボードを含む入力ユニットが配置された面が露出する携帯型情報処理装置であって、ノートＰＣモードとタブレットＰＣモードとで、前記入力ユニットに異なる機能を割り当て、前記入力ユニットからの入力に対して異なる信号処理を行う入力ユニット制御手段を備えたことを特徴とする。
【０００８】
また、本発明の好ましい態様によれば、前記入力ユニット制御手段は、前記タブレットＰＣモードでは、前記キーボードに近接センサとして機能を割り当て、前記キーボードからの入力に対して近接センサ用の信号処理を行うことが望ましい。
【０００９】
また、本発明の好ましい態様によれば、前記入力ユニットはタッチパッドを備え、前記入力ユニット制御手段は、前記タブレットＰＣモードでは、前記タッチパッドに近接センサとしての機能を割り当て、前記タッチパッドからの入力に対して近接センサ用の信号処理を行うことが望ましい。
【００１０】
また、本発明の好ましい態様によれば、前記入力ユニット制御手段は、前記タブレットＰＣモードでは、前記キーボードの一部のキートップに画面操作用の機能を割り当て、前記一部のキートップからの入力に対して画面操作用の信号処理を行うことが望ましい。
【００１１】
また、本発明の好ましい態様によれば、前記一部のキートップは、前記キーボードの左右両端に位置するキートップであり、前記入力ユニット制御手段は、前記タブレットＰＣモードでは、前記一部のキートップに、ページスクロール、ページめくり、並びにページアップ及びダウンの少なくとも１つの機能を割り当てることが望ましい。
【００１２】
また、本発明の好ましい態様によれば、前記入力ユニットはタッチパッドを備え、前記入力ユニット制御手段は、前記タブレットＰＣモードでは、前記タッチパッドに画面操作用の機能を割り当て、前記タッチパッドからの入力に対して画面操作用の信号処理を行うことが望ましい。
【００１３】
また、本発明の好ましい態様によれば、前記入力ユニット制御手段は、前記タブレットＰＣモードでは、前記タッチパッドにページアップ及びダウン並びにページスクロールの少なくとも１つの機能を割り当てることが望ましい。
【００１４】
また、上述した課題を解決し、目的を達成するために、本発明は、ノートＰＣ及びタブレットＰＣとして使用可能であり、タブレットＰＣ構成でキーボードを含む入力ユニットが配置された面が露出する携帯型情報処理装置の入力方法であって、ノートＰＣモードとタブレットＰＣモードとで、前記入力ユニットに異なる機能を割り当て、前記入力ユニットからの入力に対して異なる信号処理を行う工程を含むことを特徴とする。
【００１５】
また、上述した課題を解決し、目的を達成するために、本発明は、ノートＰＣ及びタブレットＰＣとして使用可能であり、タブレットＰＣ構成でキーボードを含む入力ユニットが配置された面が露出する携帯型情報処理装置に搭載されるプログラムであって、ノートＰＣモードとタブレットＰＣモードとで、前記入力ユニットに異なる機能を割り当て、前記入力ユニットからの入力に対して異なる信号処理を行う工程をコンピュータに実行させることを特徴とする。
【発明の効果】
【００１６】
本発明にかかる携帯型情報処理装置によれば、ノートＰＣ及びタブレットＰＣとして使用可能であり、タブレット構成でキーボードを含む入力ユニットが配置される面が露出するタイプの携帯型情報処理装置において、タブレット構成でも入力ユニットを有効に利用することが可能となるという効果を奏する。
【図面の簡単な説明】
【００１７】
【図１−Ａ】図１−Ａは、実施の形態に係る携帯型情報処理装置が閉じた位置の斜視図である。
【図１−Ｂ】図１−Ｂは、図１−Ａの実施の形態の構成に係る携帯型情報処理装置が閉じた位置にある斜視図である。
【図１−Ｃ】図１−Ｃは、図１−Ａの実施の形態の構成に係る携帯型情報処理装置が開いた位置にある斜視図である。
【図１−Ｄ】図１−Ｄは、図１−Ａの実施の形態の他の構成に係る携帯型情報処理装置のキーボードが上向きの状態にある斜視図である。
【図１−Ｅ】図１−Ｅは、図１−Ａの実施の形態の他の構成に係る携帯型情報処理装置のタッチスクリーンが上向きの状態にある斜視図である。
【図１−Ｆ】図１−Ｆは、本実施の形態に係る携帯型情報処理装置の使用状態を説明するための図である。
【図１−Ｇ】図１−Ｇは、本実施の形態に係る携帯型情報処理装置の使用状態を説明するための図である。
【図２】図２は、携帯型情報処理装置のハードウェアの構成を示す概略図である。
【図３】図３は、入力コントローラの動作例１を説明するためのフローチャートを示す図である。
【図４】図４は、入力コントローラの動作例２を説明するためのフローチャートを示す図である。
【図５】図５は、入力ユニットの構成例を示す図である。
【発明を実施するための形態】
【００１８】
以下、本実施の形態にかかる携帯型情報処理装置、その入力方法、及びコンピュータが実行可能なプログラムについて説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。
【００１９】
図１−Ａ〜図１−Ｇを参照して、本実施の形態に係る携帯型情報処理装置の外観構成を説明する。本実施の形態の携帯型情報処理装置は、いわゆるコンバーチブル型ＰＣであり、ノートＰＣ及びタブレットＰＣとして使用することができる。
【００２０】
図１−Ａは、実施の形態に係る携帯型情報処理装置が閉じた位置の斜視図である。図１−Ｂは、図１−Ａの実施の形態の構成に係る携帯型情報処理装置が閉じた位置にある斜視図である。図１−Ｃは、図１−Ａの実施の形態の構成に係る携帯型情報処理装置が開いた位置にある斜視図である。図１−Ｄは、図１−Ａの実施の形態の他の構成に係る携帯型情報処理装置のキーボードが上向きの状態にある斜視図である。図１−Ｅは、図１−Ａの実施の形態の他の構成に係る携帯型情報処理装置のタッチスクリーンが上向きの状態にある斜視図である。図１−Ｆ及び図１−Ｇは、本実施の形態に係る携帯型情報処理装置の使用状態を説明するための図である。
【００２１】
図１−Ａ〜図１−Ｅに示すように、携帯型情報処理装置１は、ＬＣＤ１３（図２参照）とＬＣＤ１３上に配置されたタッチセンサ１４（図２参照）で構成されるタッチスクリーン１６が配置されたディスプレイ側筐体１１と、キーボード１７及びタッチパッド１８を含む入力ユニット１９が配置された本体側筐体１２と、を備え、ディスプレイ側筐体１１と本体側筐体１２は、一対のヒンジ（hinge）２０を介して接続されている。携帯型情報処理装置１は、本体側筐体１２内にＣＰＵを含む回路基板を備えている。
【００２２】
タッチスクリーン１６は、図１−Ａに示すように、携帯型情報処理装置１が閉じた位置にある場合に、本体側筐体１２と対向する。タッチスクリーン１６は、ＣＰＵによって制御可能となるように接続されており、データを携帯型情報処理装置１のユーザに提示する。
【００２３】
一対のヒンジ２０は、ディスプレイ側筐体１１の端部１１ａと本体側筐体１２の端部１２ｂで連結されている。ディスプレイ側筐体１１は、本体側筐体１２に対して、一対のヒンジ２０の周りを回動することができる。ディスプレイ側筐体１１は、本体側筐体１２に対して（Ｘ軸の周りを）実質的に３６０度回動可能となっている。  
【００２４】
図１−Ｂ〜図１−Ｄは、本体側筐体１２に対して異なった角度で開くことができるディスプレイ側筐体１１の操作例を示している。図１−Ｅは、さらに、上方を向いているタッチスクリーン１６を示している。ユーザは、例えば、指等の指示体を用いてタッチスクリーン１６にライトやタップすることができる。  
【００２５】
上記構成の携帯型情報処理装置１は、図１−Ｂに示す状態では、ノートＰＣ構成となり、通常のノートＰＣとして、入力ユニット１９による操作で使用することができる。また、図１−Ｄ及び図１−Ｅに示すように、ディスプレイ側筐体１１を本体側筐体１２に対して３６０度回転させて、本体側筐体１４の上にディスプレイ側筐体１５を重ねるように折り畳み、ディスプレイ１１を表を向くようにすれば、タブレットＰＣ構成となる。
【００２６】
タブレットＰＣ構成では、本体側筐体１２のキー入力ユニット１９が配置された面が背面となり、露出した状態となる。図１−Ｆ及び図１−Ｇの使用状態を示す図のように、ユーザは、タブレットＰＣ構成では、携帯型情報処理装置１を縦向き又は横向きにして、本体側筐体１２のキー入力ユニット１９が配置された面（背面）を手で把持して使用することになる。本実施の形態では、ノートＰＣモードとタブレットＰＣモードとで、入力ユニット１９に異なる機能を割り当て、タブレットＰＣモードでも入力ユニット１９を有効に利用している。
【００２７】
図２は、上記携帯型情報処理装置１のハードウェアの構成を示す概略図である。携帯型情報処理装置１は、図２に示すように、ＣＰＵ１０１、ＲＯＭ１０２、メモリ１０３、ＬＣＤ１３と、グラフィクスアダプタ１０５と、ＨＤＤ３０と、タッチセンサ１４と、入力ユニット１９と、入力コントローラ１０９と、ＵＳＢポート１０６と、通信デバイス１０７と、電源回路１０８とを備えており、各部はバスを介して直接または間接的に接続されている。  
【００２８】
ＣＰＵ１０１は、バスを介して接続されたＨＤＤ３０に格納されたＯＳ３１により携帯型情報処理装置１全体の制御を行うとともに、ＨＤＤ３０に格納された各種のプログラムに基づいて処理を実行する機能を司る。また、ＣＰＵ１０１は、ディスプレイ側筐体１１の本体側筐体１２に対する回転角度を不図示のセンサで検出してノートＰＣモードとタブレットＰＣモードを切り替えている。例えば、ＣＰＵ１０１は、ディスプレイ側筐体１１の本体側筐体１２に対する回転角度θが０度≦θ≦１８０度の場合にノートＰＣモード、１８０＜θ≦３６０度の場合にタブレットＰＣモードとすることができる。
【００２９】
ＲＯＭ１０２は、ＢＩＯＳ（Ｂａｓｉｃ  Ｉｎｐｕｔ／Ｏｕｔｐｕｔ  Ｓｙｓｔｅｍ：基本入出力システム）１０２ａやデータ等を格納している。
【００３０】
メモリ１０３は、キャッシュメモリやＲＡＭで構成されており、ＣＰＵ１０１の実行プログラムの読み込み領域として、実行プログラムの処理データを書き込む作業領域として利用される書き込み可能メモリである。  
【００３１】
ＨＤＤ３０は、例えば、Ｗｉｎｄｏｗｓ（登録商標），ｉＯＳ（登録商標）、Ａｎｄｒｏｉｄｏ（登録商標）等の携帯型情報処理装置１全体の制御を行うためのＯＳ３１、周辺機器類をハードウェア操作するための各種ドライバ３２、特定業務に向けられたアプリケーション３３、及び各種データやファイル等を格納する機能を有する。
【００３２】
グラフィクスアダプタ１０５は、ＣＰＵ１０１の制御に従って、表示情報をビデオ信号に変換し、変換したビデオ信号をＬＣＤ１３に出力する。ＬＣＤ１３は、ＣＰＵ１０１の制御に従って、各種情報を表示する機能を有している。  
【００３３】
通信デバイス１０７は、ネットワークを介して他のデバイスとの通信を制御する。電源回路１０８は、ＡＣアダプタ、インテリジェント電池、インテリジェント電池を充電するための充電器、およびＤＣ／ＤＣコンバータ等を備えており、ＣＰＵ１０１の制御に従って、各デバイスに電力を供給する。  
【００３４】
タッチセンサ１４は、例えば、静電容量方式のタッチセンサであり、ユーザのタッチ位置を検出して、入力コントローラ１０９に出力する。タッチセンサ１４は、ＬＣＤ１３の画面に表示される各種メニュー、アイコン、ボタン、およびキーボード等の画面オブジェクトを選択して入力操作を行ったり、テキストの入力操作や、スクロールやスワイプ等の画面操作を行うためのものである。
【００３５】
入力ユニット１９は、ユーザが入力操作を行うためのユーザインターフェースであり、文字、コマンド等を入力する各種キートップより構成されるキーボード１７や、画面上のカーソルを移動させるポインティングデバイスであるタッチパッド１８を備えている。キーボード１７は、所定規格のキーボードであり、操作されたキートップの情報を入力コントローラ１９に出力する。タッチパッド１８は、操作された座標情報を入力コントローラ１０９に出力する。
【００３６】
入力コントローラ１０９は、プロセッサがＲＯＭ等に格納されたプログラムを実行することにより各種処理を行い、タッチセンサ１４及び入力ユニット１９の動作を制御する。
入力コントローラ１０９は、ノートＰＣモードの場合は入力ユニット１９に対して通常の信号処理を行い、タブレットＰＣモードの場合は、入力ユニット１９にノートＰＣモードの場合と異なる機能を割り当て、特別な信号処理を行う。
【００３７】
図３は、入力コントローラ１０９の動作例１の概略を説明するためのフローチャートである。図３において、入力コントローラ１０９は、ノートＰＣモードかタブレットＰＣモードかを判定する（ステップＳ１）。ノートＰＣモードの場合には、入力コントローラ１０９は、キーボード１７及びタッチパッド１８に通常の機能を割り当て、通常の処理を行う（ステップＳ２）。すなわち、入力コントローラ１０９は、ノートＰＣモードの場合は、キーボード１７のキートップの押下に応じて、所定規格のキーボードのキートップに割り当てられている文字やコマンドをＣＰＵ１０１に出力する。また、入力コントローラ１０９は、タッチパッド１８の操作に応じて、カーソル移動用の操作指示をＣＰＵ１０１に出力する。
【００３８】
タブレットＰＣモードの場合には、入力コントローラ１０９は、キーボード１７及びタッチパッド１８に（接触型の）近接センサ（proximity  sensor）としての機能を割り当て、近接センサ用の信号処理を行う（ステップＳ２）。すなわち、入力コントローラ１０９は、キーボード１７のいずれかのキートップが押下された場合には、ユーザが本体を把持していることを示す人感検出信号をＣＰＵ１０１に出力する。また、入力コントローラ１０９は、タッチパッド１８がタッチされた場合には、ユーザが本体を把持していることを示す人感検出信号をＣＰＵ１０１に出力する。
【００３９】
図４は、入力コントローラ１０９の動作例２の概略を説明するためのフローチャートである。図４において、図３と同様の処理を行うステップには同一のステップ番号を付してある。入力コントローラ１０９は、ノートＰＣモードかタブレットＰＣモードかを判定する（ステップＳ１）。ノートＰＣモードの場合には、入力コントローラ１０９は、キーボード１７及びタッチパッド１８に通常の機能を割り当て、通常の処理を行う（ステップＳ２）。
【００４０】
タブレットＰＣモードの場合には、入力コントローラ１０９は、キーボード１７のキートップの一部及びタッチパッド１８に画面操作用の機能を割り当て、画面操作用の信号処理を行う（ステップＳ１０）。
【００４１】
図５は、キーボード１７のキートップの一部及びタッチパッド１８に画面操作用の機能を割り当てた場合を説明するための入力ユニット１９の平面図の一例である。入力コントローラ１０９は、キーボード１７の左右両端に位置するキートップに画面操作用の機能を割り当てる。例えば、右端の「｜」、左端の「Ｔａｂ」のキートップにページアップ、右端の「Ｅｎｔｅｒ」、左端の「Ｃａｐｓ」のキートップにページダウン、右端の「ｓｈｉｆｔ」のキートップにページ戻し（ページめくり）、左端の「Ｓｈｉｆｔ」のキートップにページ送り（ページめくり）を割り当てる。また、入力コントローラ１０９は、タッチパッド１９にページアップ及びダウン、ページスクロールの機能を割り当てる。
【００４２】
入力コントローラ１０９は、キーボード１７の左右両端に位置するキートップが押下された場合には、割り当てた機能の画面操作指示をＣＰＵ１０１に出力する。また、入力コントローラ１０９は、左右両端以外のキートップが押下された場合は無効とする。また、入力コントローラ１０９は、タッチパッド１８の操作に応じて、ページアップ及びダウン、ページスクロールの画面操作指示をＣＰＵ１０１に出力する。
【００４３】
なお、タブレットＰＣモードにおいて、入力ユニット１９を近接センサとして使用するか（動作例１）、又は、画面操作用に使用するか（動作例２）を選択するための選択（設定）画面を表示し、ユーザが選択可能な構成としてもよい。この場合、入力コントローラ１９は、選択画面で選択された機能を入力ユニット１９に割り当てる。
【００４４】
以上説明したように、本実施の形態では、入力コントローラ１０９は、ノートＰＣモードとタブレットＰＣモードとで、入力ユニット１９に異なる機能を割り当て、入力ユニット１９からの入力に対して異なる信号処理を行うこととしたので、タブレットＰＣ構成で背面に位置する入力ユニットを有効に利用することが可能となる。
【００４５】
入力コントローラ１０９は、タブレットＰＣモードにおいて、入力ユニット１９のキーボード１７及びタッチパッド１８に近接センサとして機能を割り当て、キーボード１７及びタッチパッド１８からの入力に対して近接センサ用の信号処理を行うこととしたので、キーボード１７及びタッチパッド１８を近接センサとして使用することが可能となる。
【００４６】
入力コントローラ１０９は、タブレットＰＣモードにおいて、入力ユニット１９のキーボード１７及びタッチパッド１８に画面操作用の機能を割り当て、キーボード１７及びタッチパッド１８からの入力に対して画面操作用の信号処理を行うこととしたので、タブレット構成において背面からの画面操作が可能となる。
【００４７】
なお、上記した実施の形態では、ディスプレイ側筐体１２を入力ユニット１９が配置される本体側筐体１２に対して、ヒンジ２０により３６０度回転させてタブレットＰＣ構成となる場合を説明したが、本発明はこれに限られるものではなく、タブレットＰＣ構成において、キーボード等の入力ユニットが配置される面が露出するコンバーチブル型ＰＣの全てに適用可能であり、本実施の形態と異なる回転機構を使用したものにも適用可能である。
【産業上の利用可能性】
【００４８】
以上のように、本発明にかかる携帯型情報処理装置、その入力方法、及びコンピュータが実行可能なプログラムは、ノートＰＣ及びタブレットＰＣとして使用可能であり、タブレットＰＣ構成でキーボードを含む入力ユニットが配置された面が露出する構成のコンバーチブル型の携帯型情報処理装置に有用である。
【符号の説明】
【００４９】
１  携帯型情報処理装置
１１  ディスプレイ側筐体
１２  本体側筐体
１３  ＬＣＤ
１６  タッチスクリーン
１７  キーボード
１８  タッチパッド
１９  入力ユニット
２０  ヒンジ
３０  ＨＤＤ
３１  ＯＳ
３２  ドライバ
３３  アプリケーション
１０１  ＣＰＵ
１０２  ＲＯＭ
１０３  メモリ
１０５  グラフィクスアダプタ
１０６  ＵＳＢポート
１０７  通信デバイス
１０８  電源回路
１０９  入力コントローラ
【図１−Ａ】
0005947771.tif 000002
【図１−Ｂ】
0005947771.tif 000003
【図１−Ｃ】
0005947771.tif 000004
【図１−Ｄ】
0005947771.tif 000005
【図１−Ｅ】
0005947771.tif 000006
【図１−Ｆ】
0005947771.tif 000007
【図１−Ｇ】
0005947771.tif 000008
【図２】
0005947771.tif 000009
【図３】
0005947771.tif 000010
【図４】
0005947771.tif 000011
【図５】
0005947771.tif 000012